(57)【特許請求の範囲】
【請求項１】
液供給源から供給される液を送液するホースに取付けられ、このホースを流れる液を液供給先側に分配供給する分配液供給手段が接続される液分岐装置において、前記ホースの長手方向の任意の位置に着脱自在に外装され、開閉自在な両端に互いに入れ子式に挿入可能な二叉部が形成されると共に、これら二叉部の互いに対向する側に、互いに噛合し得る噛合部が形成されてなるクランプを備えたホースクランプ部と、前記クランプの二叉部の間の凹曲面側に植設され、前記ホースに刺込まれる液抜用刺込管と、前記ホースクランプ部の反対側に形成され、前記分配液供給手段が接続される接続部が形成されると共に、前記液抜用刺込管と前記接続部との間に、前記液抜用刺込管から前記接続部に連通する流液路を遮断する一方、前記分配液供給手段に分配供給する液の流量を調節する弁機構が形成された継手部とから構成されてなることを特徴とする液分岐装置。
【請求項２】
前記クランプの二叉部の噛合部の噛合歯は、前記二叉部の奥側の基端側に傾斜してなることを特徴とする請求項１に記載の液分岐装置。
【請求項３】
前記液抜用刺込管の植設位置は、前記クランプの前記凹曲面側に形成された円錐台状体の頂部の中心であることを特徴とする請求項１または２のうちの何れか一つの項に記載の液分岐装置。
【発明の詳細な説明】
【技術分野】
【０００１】
本発明は、液分岐装置に係り、例えば、園芸用散水装置のホースを流れる水を複数の散水ノズルに分配するために、ホースの長手方向の任意の位置に取付けられる液分岐装置に関するものである。
【背景技術】
【０００２】
近年、一戸建ての庭園においては勿論のこと、マンション等のベランダにおいてもプランターや植木鉢等を用いてのガーデニングが行われている。プランターや植木鉢等に植えられている植物への散水は、一般に先端に手動操作式の散水ノズルが取付けられたホースと、このホースが巻回されるホースリールと、このホースリールと水道蛇口を接続する水供給ホース（送水ホース）とからなる散水装置が用いられている。
【０００３】
ガーデニングでは、定期的に散水しなければならないが、散水作業効率が悪く、特にベランダに設置された植木鉢やプランターにおいては、夏場になると複数回の散水が必要となり、結構煩わしいのに加えて面倒であった。さらに、留守または旅行時における散水に問題があった。そのため、散水作業の労力を軽減することができ、しかも簡単な構造の散水装置が提案されている。
【０００４】
以下、上記従来例に係る散水装置の概要を、その散水装置の全体構成を示す図の図８と、その散水装置の要部を示す斜視図の図９とを順次参照しながら説明する。即ち、この従来例に係る散水装置は、図８に示すように、軟質合成樹脂からなる長尺なホース５１と、このホース５１の長手方向の任意の位置に取付けられる継手管５２と、この継手管５２に立ち上がり状に取付けられる立ち上げ管５３と、この立ち上げ管５３に取付けられるノズル５４，５５とを備えている。前記ホース５１は散水が行われる庭園等の地面５６上に敷設されており、そしてこのホース５１は地面５６からの不用意な移動を防止するために、地面に刺込まれるフック５７により適宜位置に固定されている。このようなホース５１は水道蛇口５８に蛇口継手５９を介して連結されており、水道蛇口５８から水が供給されるように構成されている。
【０００５】
前記継手管５２の一端側（図８における下側）は、図９に示すように、図示しないパンチを使用してホース５１の長手方向の任意の位置に明けられた吐水孔５１ａにネジ込まれる。また、前記継手管５２の他端側（図８における上側）が、前記立ち上げ管５３の下端にネジ込まれて接続される。この立ち上げ管５３の上端には、前記ノズル５４のネジ部がネジ込まれて取付けられる。前記ノズル５５も前記ノズル５４と同様に、他の立ち上げ管５３の上端にネジ込まれて取付けられる。なお、図８において示す符号５１ｂおよび符号５１ｄは前記ホース５１の継目部分に用いられる継目管であり、また符号５１ｃはＴ字形の継目管５１ｂの分岐部を、必要に応じて閉塞するための栓である（例えば、特許文献１参照。）。
【特許文献１】実開平７−３７３７号公報
【発明の開示】
【発明が解決しようとする課題】
【０００６】
上記従来例に係る散水装置は、軟質合成樹脂からなるホースの任意の位置に適宜吐水孔をあけて、吐水孔にネジ込んだ継手管に立ち上げ管を接続すると共に、この立ち上げ管にノズルを取付けて散水することができる。従って、この従来例に係る散水装置の構成は極めて簡便であって、しかも安価であり、そして短期的な観点からすれば格別の問題がないようにも考えられる。しかしながら、この従来例に係る散水装置には、後述するような解決すべき課題がある。
【０００７】
（１）継手管のネジ部を吐水孔にネジ込むだけの構成であって、ネジ込み部位から漏水の恐れがあるから、漏水機能に対する信頼性が劣る。
（２）個々のノズルから噴射し得る水量を、植物の量、育成程度、つまり植物にとって好ましい水量に調整することが困難である。勿論、ホースを調整クリップで絞ることにより植物にとって好ましい水量に調整できるものの、能力が相違する多種類の調整クリップを用意しなければならず、実用上極めて面倒である。
【０００８】
従って、本発明の目的は、液分岐装置のホースへの取付け位置における液漏れ防止に対する信頼性が優れ、液供給源から供給される液を送液するホースの任意の位置に容易に着脱することができ、しかも分配液供給手段を介して分配供給する液の流量を容易に調節することを可能ならしめる液分岐装置を提供することである。
【課題を解決するための手段】
【００１０】
本発明の請求項１に係る液分岐装置が採用した手段の要旨は、液供給源から供給される液を送液するホースに取付けられ、このホースを流れる液を液供給先側に分配供給する分配液供給手段が接続される液分岐装置において、前記ホースの長手方向の任意の位置に着脱自在に外装され、開閉自在な両端に互いに入れ子式に挿入可能な二叉部が形成されると共に、これら二叉部の互いに対向する側に、互いに噛合し得る噛合部が形成されてなるクランプを備えたホースクランプ部と、前記クランプの二叉部の間の凹曲面側に植設され、前記ホースに刺込まれる液抜用刺込管と、前記ホースクランプ部の反対側に形成され、前記分配液供給手段が接続される接続部が形成されると共に、前記液抜用刺込管と前記接続部との間に、前記液抜用刺込管から前記接続部に連通する流液路を遮断する一方、前記分配液供給手段に分配供給する液の流量を調節する弁機構が形成された継手部とから構成されてなることを特徴とするものである。
【００１１】
本発明の請求項２に係る液分岐装置が採用した手段の要旨は、請求項１に記載の液分岐装置において、前記クランプの二叉部の噛合部の噛合歯は、前記二叉部の奥側の基端側に傾斜してなることを特徴とするものである。
【００１２】
本発明の請求項３に係る液分岐装置が採用した手段の要旨は、請求項１または２のうちの何れか一つの項に記載の液分岐装置において、前記液抜用刺込管の植設位置は、前記クランプの前記凹曲面側に形成された円錐台状体の頂部の中心であることを特徴とするものである。
【発明の効果】
【００１３】
本発明の請求項１乃至３に係る液分岐装置によれば、ホースクランプ部により、液分岐装置をホースに強固に固定することができる。そして、液分岐装置がホースに固定された状態においては、ホースがホースクランプ部により締付けられて外径が縮小し、ホースの液抜用刺込管の刺込穴の内周面が液抜用刺込管の外周面に押付けられるため、液抜用刺込管の刺込部位からの液の漏出が阻止される。さらに、継手部の弁機構によって、液抜用刺込管から抜き出され、分配液供給手段を介して分配供給する液を遮断する一方、液の流量を自在に調節することができる。
【００１４】
本発明の請求項１に係る液分岐装置によれば、ホースクランプ部のクランプによりホースを挟むと共に、二叉部の互いに対向する側の噛合部を噛合させることにより、液分岐装置をホースに強固に固定することができる。
【００１５】
本発明の請求項２に係る液分岐装置によれば、クランプの両二叉部の噛合部の噛合歯が、これら二叉部の奥側の基端側に傾斜しているため、これらの二叉部の相反する側を相対する方向に押すことにより容易に入れ子式に挿入して噛合歯を噛合させることができる。
また、クランプの両二叉部が互いに入れ子式に挿入された状態においては、二叉部の抜け止め機能に対する信頼性が優れている。
【００１６】
本発明の請求項３に係る液分岐装置によれば、液抜用刺込管の植設位置が、クランプの凹曲面側に形成された円錐台状体の頂部の中心であるから、液抜用刺込管がホースに刺込まれた状態においては、ホースの液抜用刺込管の刺込穴の近傍の外周面が円錐台状体の斜面に押付けられると共に、刺込穴の内周面が液抜用刺込管の外周面に押付けられるため、ホースを流れる液漏れ防止に対する信頼性がより一層向上する。
【発明を実施するための最良の形態】
【００１７】
以下、本発明の実施の形態に係る液分岐装置を、園芸用散水装置に適用した場合を例として、添付図面の図１乃至図７を順次参照しながら説明する。先ず、本発明の実施の形態１に係る液分岐装置（以下、水分岐装置という。）を、図１乃至図４を順次参照しながら説明する。図１は水分岐装置を備えた園芸用散水装置の模式的全体構成説明図、図２は水分岐装置のホースへの取付け状態を示す構成説明図、図３は水分岐装置を構成するホースクランプ部の断面構成説明図で、クランプの二叉部が開いた状態を示す図、図４は水分岐装置を構成する継手部の構成説明図である。
【００１８】
図１に示す符号１は、本発明の実施の形態１に係る水分岐装置を備えた園芸用散水装置である。この園芸用散水装置１は、蛇口継手３を介して水道蛇口（液供給源）２に接続され、前記蛇口継手３の下流側に散水したい時間をセットするタイマーを備えたタイマー付きバルブ５が介装されると共に、先端に市販のマニュアル操作式ノズル６が取付けられてなるホース４を備えている。前記タイマー付きバルブ５は、タイマーの作動を停止させると自在に通水させることができるように構成されており、これにより前記マニュアル操作式ノズル６から必要に応じて散水することができるように構成されている。
【００１９】
さらに、前記ホース４の前記タイマー付きバルブ５と前記マニュアル操作式ノズル６の間に、このホース４を流れる水を抜出して分配供給する、複数の後述する構成になる水分岐装置１０が取付けられている。そして、これら各水分岐装置１０のそれぞれから分配液供給手段（以下、分岐ホースという。）７を介して、プランターまたは植木鉢等からなる植物育成容器８内の土９に設置され、前記タイマー付きバルブ５のタイマーにより設定された時間に、植物に対して散水する散水ノズル２０に水が分配供給されるように構成されている。
【００２０】
なお、この園芸用散水装置１の場合には、図１から良く理解されるように、前記ホース４に４組の水分岐装置１０が取付けられている。しかしながら、この水分岐装置１０の取付け組数は４組未満であっても、５組以上であっても良いので、この水分岐装置１０の取付け組数は４組に限定されるものではない。また、前記ホース４の先端に市販のマニュアル操作式ノズル６が取付けられているが、このホース４の先端を、例えば止水栓で閉塞するように構成しても良い。
【００２１】
以下、本発明の実施の形態１に係る水分岐装置１０を説明する。即ち、この水分岐装置１０は、図２乃至４に示すように、前記ホース４に着脱自在に装着されるホースクランプ部１１と、このホースクランプ部１１に接続され、前記分岐ホース７が接続される継手部１７とから構成されている。この水分岐装置１０の前記ホースクランプ部１１は、前記送水ホース４への装着状態においては、この送水ホース４の外周を囲繞して締付ける、着脱自在なクランプ１２を備えている。このクランプ１２は、図２，３において左側に示す第１クランプ１３と、右側に示す第２クランプ１４とから構成されている。
【００２２】
より詳しくは、前記第１クランプ１３の先端には、湾曲形成されてなる二叉部が形成されている。この第１クランプ１３の二叉部は、内側面が前記ホース４の外周面に押圧され、外側面に側面視で三角波状の噛合歯が形成されてなる基端側の噛合部１３ａと、先端側の抜け止め部１３ｂとから構成されている。また、前記第２クランプ１４の先端にも、湾曲形成されてなる二叉部が形成されている。この第２クランプ１４の二叉部は、内側面が前記ホース４の外周面に押圧され、外側面に前記第１クランプ１３の噛合部１３ａの内側面が接触する基端側のホース押え部１４ａと、内側面に噛合歯が形成され、外側面が前記第１クランプ１３の抜け止め部１３ｂの内側面に接触する先端側の噛合部１４ｂとから構成されている。
【００２３】
つまり、前記クランプ１２の第１クランプ１３と第２クランプ１４とが前記ホース４に装着された状態にあっては、前記第１クランプ１３の先端の二叉部と、前記第２クランプ１４の先端の二叉部とを入れ子式に挿入すると、第１クランプ１３の噛合部１３ａの噛合歯と、第２クランプ１４の噛合部１４ｂの噛合歯とが噛合する。そして、前記第２クランプ１４の噛合部１４ｂの外側面が前記第１クランプ１３の抜け止め部１３ｂの内側面で押圧されることにより両二叉部が抜けることがないように構成されている。
【００２４】
本実施の形態１に係る水分岐装置１０のクランプ１２の場合には、図２および図３から良く理解されるように、前記二叉部の第１クランプ１３の噛合部１３ａの噛合歯と、第２クランプ１４の噛合部１４ｂの噛合歯との歯形は、何れも二叉部の奥側である噛合部の基端側に傾斜するように形成されている。これら噛合部１３ａ，１４ｂの噛合歯の歯形をこのように傾斜させたのは、噛合歯を噛合させるに際しての入れ子式に挿入する作業の容易化と、入れ子式に挿入された二叉部の抜け止めに対する信頼性の向上を狙いとしたものであり、極めて好ましい形態である。
【００２５】
しかしながら、噛合部１３ａ，１４ｂの噛合歯の歯形が、例えば、二等辺三角形状に形成されていたとしても、それなりの抜け止め機能を期待することができる。従って、噛合部１３ａ，１４ｂの噛合歯の歯形は、特に二叉部の奥側に傾斜させなければならないという訳ではない。また、本実施の形態１に係る水分岐装置１０のクランプ１２の場合には、第１クランプ１３の噛合部１３ａの噛合歯と、第２クランプ１４の噛合部１４ｂの噛合歯との噛合数を適宜変更することにより、直径が相違する種々のホースに対して容易に対応することが可能である。
【００２６】
前記クランプ１２の中心位置であって、かつこのクランプ１２の前記二叉部の間の凹曲面に、円錐台状体１２ａが形成されると共に、この円錐台状体１２ａの頂部の中心位置に、アルミニウム合金からなるチューブを斜めに削いだ形状の先端が前記ホース４に刺込まれ、このホース４を流れる水を分配供給するために抜出す液抜用刺込管（以下、水抜用刺込管という。）１５が植設されている。
【００２７】
ところで、この実施の形態１に係る水分岐装置１０のクランプ１２の場合には、上記のとおり、このクランプ１２の凹曲面側の水抜用刺込管１５の植設位置に円錐台状体１２ａが形成されている。これは、前記ホース４の水抜用刺込管１５の刺込穴からの漏水防止機能の向上を狙いとしたものであり、円錐台状体１２ａの形成が必須であるわけではない。
即ち、クランプ１２の締付けによるホース４の外径の縮小により、このホース４の水抜用刺込管１５の刺込穴からの漏水を防止することができ、それなりの漏水防止機能があるからである。
【００２８】
前記ホースクランプ部１１のクランプ１２の反対側に、円筒部１６が形成されている。
この円筒部１６の内部には、前記水抜用刺込管１５の径方向の中心をとおる中心線ＬＣを共有する円筒部１６の中心部の長手方向に沿って、前記水抜用刺込管１５から離れるに連れて大径となるテーパ穴状弁座１６ｂを有する流液路（以下、流水路という。）１６ａが形成されている。そして、この流水路１６ａの前記テーパ穴状弁座１６ｂの前記円筒部１６の基端側に、大径部側に向って順に、Ｏ−リング嵌合穴１６ｃ、雌ネジ１６ｄが形成されている。
【００２９】
ところで、前記Ｏ−リング嵌合穴１６ｃには、前記雌ネジ１６ｄに螺着されて接続される継手部１７のＯ−リング溝に嵌着されたＯ−リングが組込まれる。また、前記第１クランプ１３の噛合部１３ａと抜け止め部１３ｂとの間であって、かつ外側面に形成されてなる外側歯形１３ｃと、前記第２クランプ１４のホース押え部１４ａと噛合部１３ｂとの間であって、かつ外側面に形成されてなる外側歯形１４ｃとは、クランプ作業のための滑り止めであるから、必ずしも設ける必要がないものであり、例えば平坦であっても良い。
【００３０】
なお、この水分岐装置１０の全体は、例えばエンジニアリングプラスチックと呼ばれるポリアセタール樹脂、または６６ナイロンから製造されており、前記第１クランプ１３と第２クランプ１４の二叉部と円筒部１６との間の部分は、所定の引張強度を保持し得て、しかも自在に曲げ変形し得るように構成されている。
【００３１】
前記継手部１７は、一端側に前記テーパ穴状弁座１６ｂに係合可能な円錐形状のコーン部１７ａが形成されると共に、他端側に前記分岐ホース７が接続される接続部（以下、ホースニップルという。）１７ｈが形成されている。そして、前記コーン部１７ａから前記ホースニップル１７ｈ側に向って順に、このホースニップル１７ｈの先端に開口する水流出口１７ｄに水流出穴１７ｃを介して連通する水流入口１７ｂと、前記水抜用刺込管１５から流出する水を止水するＯ−リング１７ｉが嵌着されるＯ−リング溝１７ｅが形成されている。
【００３２】
さらに、前記円筒部１６に設けられた雌ネジ１６ｄに螺着される雄ネジ１７ｆと、この雄ネジ１７ｆを前記雌ネジ１６ｄに螺着してこの継手部１７を前記円筒部１６に接続し、かつ取外す際に、継手部１７を可逆回転させるノブ１７ｇとが設けられている。なお、以上の説明から良く理解されるように、本実施の形態１に係る水分岐装置１０では、前記円筒部１６に設けられたテーパ穴状弁座１６ｂと、継手部１７のコーン部１７ａとにより弁機構１８が構成されるものである。
【００３３】
以下、本発明の実施の形態１に係り、園芸用散水装置１に用いられる水分岐装置１０の使用態様について説明する。先ず、継手部１７のＯ−リング溝１７ｅにＯ−リング１７ｉを嵌着すると共に、この継手部１７の雄ネジ１７ｆを、ホースクランプ部１１の円筒部１６に設けられた雌ネジ１６ｄに螺着して、コーン部１７ａがテーパ穴状弁座１６ｂのテーパ面に当接するまでねじ込む。次いで、クランプ１２の第１クランプ１３と第２クランプ１４を開くと共に、開いた第１クランプ１３と第２クランプ１４との間にホース４を押込み、水分岐装置１０の水抜用刺込管１５をホース４に刺込む。
【００３４】
次いで、開いた第１クランプ１３の外側歯形１３ｃの部位と、第２クランプ１４の外側歯形１４ｃの部位とを相対する方向に押し狭めて、これら開いた第１クランプ１３の先端の二叉部と、第２クランプ１４の先端の二叉部とを入れ子式に挿入する。このようにして、必要組数の水分岐装置１０を送水ホース４の長手方向の任意の位置に装着した後、それぞれの継手部１７のホースニップル１７ｈに分岐ホース７の一端側を外嵌して接続し、この分岐ホース７の他端側を散水ノズル２０のホース接続部に接続すると共に、散水ノズル２０をそれぞれの植物育成容器８の然るべき位置にセットすれば、散水のためのホース接続作業が終了する。
【００３５】
本発明の実施の形態１に係る水分岐装置１０の場合、クランプ１２の第１クランプ１３と第２クランプ１４の二叉部が入れ子式に挿入された状態においては、第１クランプ１３の抜け止め部１３ｂの内側面によって第２クランプ１４の噛合部１４ｂの外側面が押圧される。従って、第１クランプ１３の噛合部１３ａの噛合歯と、第２クランプ１４の噛合部１４ｂの噛合歯とが噛合した状態で保持され続けることになるので、両二叉部が抜けて外れてしまうようなことがない。
【００３６】
なお、前記ホース４に取付けた前記ホースクランプ部１１のクランプ１２をこのホース４から取外す場合には、第１クランプ１３の抜け止め部材１３ａを噛合部１３ａから離れる方向向きの力を作用させれば良い。これにより、第１クランプ１３の噛合部１３ａの噛合歯と第２クランプ１４の噛合部１４ｂの噛合歯との噛合状態が簡単に解除され、第１クランプ１３と第２クランプ１４とを開放状態にすることができる。
【００３７】
本発明の実施の形態１に係る水分岐装置１０によれば、水分岐装置１０のクランプ１２の第１クランプ１３と第２クランプ１４により、ホースクランプ部１１をホース４に強固に固定することができる。また、ホースクランプ部１１が送水ホース４に固定された状態では、クランプ１２による締付けによりホース４の外径が縮小する。そして、ホース４の水抜用刺込管１５の刺込穴の近傍の外周面が円錐台状体１２ａの斜面に押付けられると共に、刺込穴の内周面が水抜用刺込管１５の外周面に押付けられるため、ホース４を流れる水の漏出が阻止される。従って、継手管のネジ部を吐水孔にネジ込むだけの構成であって、ネジ込み部位から漏水の恐れがある従来例よりも遥かに信頼性が優れている。
【００３８】
次いで、下記のようにして散水ノズル２０に分配供給する水量が調節される。即ち、水道蛇口２（水供給源）からホース４に水を送水すると共に、継手部１７の雄ネジ１７ｆをねじ戻すことによって、ホースクランプ部１１の円筒部１６の流水路１６ａの流路面積を調整する。この流路面積の調整により、植物育成容器８にセットされた散水ノズル２０に分配供給する水量を自在に調整することができる。
【００３９】
従って、本発明の実施の形態に係る水分岐装置１０によれば、分岐ホース７を調整クリップで絞るまでもなく、複数の植物育成容器８のそれぞれにセットされている散水ノズル２０に対して、それぞれの植物育成容器８に植えられている植物の量、育成程度、つまり植物にとって好ましい水量を容易に分配供給することができる。さらに、水の分配供給が必要な植物育成容器８にセットされている散水ノズル２０に対して水を分配供給しながら、水の分配供給が不必要な植物育成容器８にセットされている散水ノズル２０に対する水の分配供給を停止することができる。
【００４０】
以上の実施の形態１に係る園芸用散水装置の水分岐装置１０においては、ホースクランプ部１１の円筒部１６に継手部１７を接続して水分岐装置１０を組立て、組立てた水分岐装置１０をホース４の任意の位置に装着する場合を例として説明した。しかしながら、このような装着手順に限らず、例えばホースクランプ部１１をホース４の任意の位置に装着し、ホース４に装着されたホースクランプ部１１の円筒部１６に継手部１７を接続するようにしても良いので、上記実施の形態１において説明した水分岐装置１０の装着作業手順に限定されるものではない。
【００４１】
本発明の実施の形態２に係る水分岐装置を、その主要部を断面で示すその構成説明図の図５を参照しながら説明する。なお、本実施の形態２に係る水分岐装置が上記実施の形態１に係る水分岐装置と相違するところは、ホースクランプ部と継手部とが一体構成であることと、弁機構の構成が相違するところにあり、これら以外は同構成であるから、同一のものに同一符号を付して、その相違する点について以下に説明する．
【００４２】
即ち、本発明の実施の形態２に係る水分岐装置１０ａの場合は、上記実施の形態１に係る水分岐装置１０と同構成のホースクランプ部１１を備えており、そして円筒部１６のクランプ１２の反対側にホースニップル１７ｈが形成されてなる継手部１７が設けられている。水抜用刺込管１５の径方向の中心をとおる中心線Ｌｃを中心とし、水抜用刺込管１５からホースニップル１７ｈの先端に開口する水流出口１７ｄに連通する水流路１６ａの途中に弁機構１８が設けられている。
【００４３】
前記弁機構１８は、前記中心線Ｌｃと直交する中心線を中心とする弁体装着穴１８ａを備えている。この弁体装着穴１８ａは、円筒部１６の側方に突出するブロック部１６ｅに設けられており、このブロック部１６ｅ端面から奥側に向って順に、雌ネジ１８ｂ、Ｏ−リング嵌合穴１８ｃ、前記水流路１６ａを横断するテーパ穴１８ｄとからなっている。
【００４４】
前記弁体装着穴１８ａには、前記水流路１６ａを遮断する一方、この水流路１６ａを流れる水の量を調整する弁体１９が装着されている。この弁体１９は、先端側から順に、前記テーパ穴１８ｄに係合して、前記水流路１６ａを遮断する一方、この水流路１６ａの流路面積を調整するコーン部１９ａと、水流路１６ａからの水の漏水を防止するＯ−リング１９ｅが嵌着されるＯ−リング溝１９ｂと、前記雌ネジ１８ｂに螺着される雄ネジ１９ｃと、弁体１９を可逆自在に回転させるノブ１９ｄとから構成されている。
【００４５】
本発明の実施の形態２に係る水分岐装置１０ａにおいては、上記のとおり、ホースクランプ部１１の構成が上記実施の形態１に係る水分岐装置１０と同構成である。そして、弁機構１８の構成が上記実施の形態１に係る水分岐装置１０と相違するものの、その機能は同一であるから、本発明の実施の形態２に係る水分岐装置１０ａは、上記実施の形態１に係る水分岐装置１０と同効である。
【００４６】
本発明の実施の形態３に係る水分岐装置を、その一部断面示構成説明図の図６（ａ）と、図６（ａ）のＡ−Ａ線断面図の図６（ｂ）を参照しながら説明する。なお、本発明の実施の形態３に係る水分岐装置が上記実施の形態２に係る水分岐装置と相違するところは、弁機構の構成が相違するところにあり、これら以外は同構成であるから、同一のものに同一符号を付して、その相違する点について以下に説明する．
【００４７】
即ち、本発明の実施の形態３に係る水分岐装置１０ｂでは、上記実施の形態２に係る水分岐装置１０ａと同様に、水抜用刺込管１５からホースニップル１７ｈの先端に開口する水流出口１７ｄに連通する水流路１６ａの途中に弁機構１８が設けられている。この弁機構１８の弁体装着穴１８ｅは、円筒部１６の側方に突出するブロック部１６ｅに設けられており、この弁体装着穴１８ｅの内周面面の前記ブロック部１６ｅの端面の近傍位置に１条の半円状の弁体抜け防止用溝１８ｆが刻設されている。
【００４８】
前記弁体装着穴１８ｅには、外周面に前記弁体抜け防止用溝１８ｆに嵌合される半円状の断面を有する環状の凸条１９ｉが周設されると共に、ノブ１９ｊによる回転により前記水流路１６ａを連通させる貫通穴１９ｈが設けられた円筒状弁１９ｇを有する弁体１９ｆが嵌着されている。なお、この場合、前記弁体抜け防止用溝１８ｆに嵌合される半円状の断面を有する環状の凸条１９ｉの外径は、弁体装着穴１８ｅの内径よりも大径であるが、凸条１９ｉの高さは０．５ｍｍであり、円筒部１６と弁体１９ｆとは、何れもポリアセタール樹脂から構成されているため、比較的容易に嵌合することが可能である。
【００４９】
本実施の形態３に係る水分岐装置１０ｂでは、弁機構１８の構成が上記実施の形態２に係る水分岐装置１０ａと相違するものの、その機能は同一であるから、本発明の実施の形態３に係る水分岐装置１０ｂは、上記実施の形態１に係る水分岐装置１０と同効である。
【００５０】
本発明の実施の形態４に係る水分岐装置を、その一部断面示構成説明図の図７を参照しながら説明する。即ち、図６と図７との比較において良く理解されるように、本発明の実施の形態４に係る水分岐装置が、上記実施の形態３に係る水分岐装置と相違するところは、本発明の実施の形態４に係る水分岐装置１０ｃは、上記実施の形態３に係る水分岐装置１０ｃの円筒１６とクランプ１２と分離し、円筒１６とクランプ１２とネジにより着脱自在としたところにある。従って、本発明の実施の形態４に係る水分岐装置１０ｃは、上記実施の形態１に係る水分岐装置１０と同効である。なお、本発明の実施の形態４に係る水分岐装置１０ｃにおいては、円筒部１６に設けた雄ネジの先端が円錐台状体としての働きをするものである。
【産業上の利用可能性】
【００５１】
以上の実施の形態１乃至４に係る水分岐装置においては、何れも園芸用散水装置に適用した場合を例として説明した。しかしながら、本発明の液分岐装置は、散水装置の用途だけでなく、例えば液体肥料の散布装置の用途、殺虫剤散布装置の用途に対しても活用することができる。従って、本発明の液分岐装置は、上記実施の形態に係る園芸用散水装置の用途に限定されるものではない。
【図面の簡単な説明】
【００５２】
【図１】本発明の実施の形態１に係る水分岐装置を備えた園芸用散水装置の模式的全体構成説明図である。
【図２】本発明の実施の形態１に係り、水分岐装置のホースへの取付け状態を示す構成説明図である。
【図３】本発明の実施の形態１に係り、水分岐装置を構成するホースクランプ部の断面構成説明図で、クランプの二叉部が開いた状態を示す図である。
【図４】本発明の実施の形態１に係り、水分岐装置を構成する継手部の構成説明図である。
【図５】本発明の実施の形態２に係り、主要部を断面で示す水分岐装置の構成説明図である。
【図６】本発明の実施の形態３に係り、図６（ａ）は水分岐装置の一部断面示構成説明図、図６（ｂ）は図６（ａ）のＡ−Ａ線断面図である。
【図７】本発明の実施の形態４に係り、水分岐装置の一部断面示構成説明図である。
【図８】従来例に係る散水装置の全体構成を示す図である。
【図９】従来例に係る散水装置の要部を示す斜視図である。
【符号の説明】
【００５３】
１…散水装置，２…水道蛇口，３…蛇口継手，４…ホース，５…タイマー付きバルブ，６…マニュアル操作式ノズル，７…分岐ホース，８…植物育成容器，９…土
１０，１０ａ，１０ｂ，１０ｃ…水分岐装置，１１…ホースクランプ部，１２…クランプ，１２ａ…円錐台状体，１３…第１クランプ，１３ａ…噛合部，１３ｂ…抜け止め部，１３ｃ…外側歯形，１４…第２クランプ，１４ａ…ホース押え部，１４ｂ…噛合部，１４ｃ…外側歯形，１５…水抜用刺込管，１６…円筒部，１６ａ…流水路，１６ｂ…テーパ穴状弁座，１６ｃ…Ｏ−リング嵌合穴，１６ｄ…雌ネジ，１７…継手部，１７ａ…コーン部，１７ｂ…水流入口，１７ｃ…水流出穴，１７ｄ…水流出口，１７ｅ…Ｏ−リング溝，１７ｆ…雄ネジ，１７ｇ…ノブ，１７ｈ…ホースニップル，１７ｉ…Ｏ−リング，１８…弁機構，１８ａ…弁体装着穴，１８ｂ…雌ネジ，１８ｃ…Ｏ−リング嵌合穴，１８ｄ…テーパ穴，１８ｅ…弁体装着穴，１８ｆ…弁体抜け防止用溝，１９…弁体，１９ａ…コーン部，１９ｂ…Ｏ−リング溝，１９ｃ…雄ネジ，１９ｄ…ノブ，１９ｅ…Ｏ−リング，１９ｆ…弁体，１９ｇ…円筒状弁，１９ｈ…貫通穴，１９ｉ…凸条，１９ｊ…ノブ
２０…散水ノズル
【要約】
【課題】漏水させることなく送水ホースの任意の位置に取付けることができ、しかも散水ノズルへの水量を容易に調節し得る園芸用散水装置の水分岐装置を提供する。
【解決手段】水分岐装置１０を、互いに入れ子式に挿入可能な二叉部が形成されると共に、これら二叉部の互いに対向する側に、互いに噛合し得る噛合部が形成されてなるクランプ１２を備えたホースクランプ部１１と、前記クランプ１２の二叉部の間の凹曲面側に植設され、前記送液ホース４に刺込まれる水抜用刺込管１５と、前記クランプ１２の反対側に形成され、前記分岐ホース４が接続されるホースニップル１７ｈが形成されると共に、前記水抜用刺込管１５と前記ホースニップル１７ｈとの間に、前記水抜用刺込管１５から前記ホースニップル１７ｈに連通する流水路１６ａを遮断する一方、水の流量を調節する弁機構１８が形成された継手部１７とから構成する。
【選択図】図２【図１】
0004371329.tif 000002
【図２】
0004371329.tif 000003
【図３】
0004371329.tif 000004
【図４】
0004371329.tif 000005
【図５】
0004371329.tif 000006
【図６】
0004371329.tif 000007
【図７】
0004371329.tif 000008
【図８】
0004371329.tif 000009
【図９】
0004371329.tif 000010